(57)【要約】【課題】記録装置に最適なディスク装置の取付構造及びそのディスク装置取付構造を備えたディスク装置並びにそのディスク装置を備えた記録装置を提供すること。【解決手段】ディスク装置１３１の両側面にそれぞれ取り付けられる独立した装置取付部材１１、１２を備え、記録装置に取り付けるための曲げ起こし部１１ａ、１１ｃ、１２ａ、１２ｃを前記各装置取付部材に設ける。これにより、記録装置に負荷が掛かった場合でもディスク装置は装置取付部材の曲げ起こし部を介して取り付けられているため直接負荷が掛からないので、ディスク装置を記録装置に安定的に取り付けておくことができる。【選択図】図２
2008077809.tif 000002
【特許請求の範囲】
【請求項１】
ディスク装置を記録装置に取り付けるためのディスク装置取付構造であって、
ディスク装置の両側面にそれぞれ取り付けられる独立した装置取付部材を備え、前記記録装置に取り付けるための曲げ起こし部を前記各装置取付部材に設けたことを特徴とするディスク装置取付構造。
【請求項２】
前記曲げ起こし部は、前記各装置取付部材に少なくとも２箇所設けたことを特徴とする請求項１に記載のディスク装置取付構造。
【請求項３】
ディスク装置用基板を前記ディスク装置の基板コネクタの近傍下面に配置し、前記ディスク装置用基板が取り付けられた基板取付部材を前記装置取付部材に対し上方から固定可能に構成したことを特徴とする請求項１又は２に記載のディスク装置取付構造。
【請求項４】
前記基板取付部材の一側面に前記装置取付部材に固定するための基板固定部材を取り付けたことを特徴とする請求項３に記載のディスク装置取付構造。
【請求項５】
前記ディスク装置用基板に実装されたコネクタの装着部をシールドする前記基板取付部材に切欠き部を設けたことを特徴とする請求項３又は４に記載のディスク装置取付構造。
【請求項６】
前記ディスク装置の前面側に位置する前記曲げ起こし部は、前記記録装置に直接取り付けられ、前記ディスク装置の背面側に位置する前記曲げ起こし部は、ベース取付部材を介して前記記録装置に取り付けられていることを特徴とする請求項１〜５の何れか一項に記載のディスク装置取付構造。
【請求項７】
請求項１〜６の何れか一項に記載のディスク装置取付構造を備えたことを特徴とするディスク装置。
【請求項８】
請求項７に記載のディスク装置を備えたことを特徴とする記録装置。
【発明の詳細な説明】
【技術分野】
【０００１】
本発明は、ディスク装置を記録装置に取り付けるためのディスク装置取付構造及びそのディスク装置取付構造を備えたディスク装置並びにそのディスク装置を備えた記録装置に関する。
【背景技術】
【０００２】
ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクのディスク装置は、パーソナルコンピュータ（ＰＣ）等に取り付けられることが多い。ディスク装置は、両側に板金が取り付けられ、ＰＣ本体横に設けられたスロット開口部に着脱可能なスライド構成にて取り付けられている（特許文献１参照）。
【０００３】
【特許文献１】特開平９−２９２９３３号公報
【発明の開示】
【発明が解決しようとする課題】
【０００４】
上述したディスク装置取付構造は、ＰＣに対しては特に問題は生じないが、プリンタ等の記録装置に対しては構造上及び組立性の観点から取り付けが困難であり、また記録装置に負荷が掛かった場合にディスク装置を構成する負荷に対して比較的脆弱な部品を保護することが困難であるという問題が生じる。
【０００５】
本発明は、上記のような課題に鑑みなされたものであり、その目的は、記録装置に最適なディスク装置の取付構造及びそのディスク装置取付構造を備えたディスク装置並びにそのディスク装置を備えた記録装置を提供することにある。
【課題を解決するための手段】
【０００６】
上記目的達成のため、本発明のディスク装置取付構造では、ディスク装置を記録装置に取り付けるためのディスク装置取付構造であって、ディスク装置の両側面にそれぞれ取り付けられる独立した装置取付部材を備え、前記記録装置に取り付けるための曲げ起こし部を前記各装置取付部材に設けたことを特徴としている。これにより、記録装置に負荷が掛かった場合でもディスク装置は装置取付部材の曲げ起こし部を介して取り付けられているため直接負荷が掛からないので、ディスク装置を記録装置に安定的に取り付けておくことができる。
【０００７】
また、前記曲げ起こし部は、前記各装置取付部材に少なくとも２箇所設けたことを特徴としている。これにより、ディスク装置における直交３方向の取付がたの発生を防止することができる。また、ディスク装置用基板を前記ディスク装置の基板コネクタの近傍下面に配置し、前記ディスク装置用基板が取り付けられた基板取付部材を前記装置取付部材に対し上方から固定可能に構成したことを特徴としている。これにより、基板取付部材を装置取付部材に対し容易に取り付けることができると共に、ディスク装置用基板とディスク装置を近接配置してノイズの混信を防止することができる。更に、ディスク装置用基板をディスク装置の背面側に配置する場合に比べ、記録装置自体の奥行き寸法を小さくすることができる。
【０００８】
また、前記基板取付部材の一側面に前記装置取付部材に固定するための基板固定部材を取り付けたことを特徴としている。これにより、基板取付部材の装置取付部材に対する固定をより強固なものとすることができる。また、前記ディスク装置用基板に実装されたコネクタの装着部をシールドする前記基板取付部材に切欠き部を設けたことを特徴としている。これにより、ディスク装置用基板に実装されたコネクタに対し切り欠き部を介してケーブルコネクタを容易に接続することができる。また、前記ディスク装置の前面側に位置する前記曲げ起こし部は、前記記録装置に直接取り付けられ、前記ディスク装置の背面側に位置する前記曲げ起こし部は、ベース取付部材を介して前記記録装置に取り付けられていることを特徴としている。これにより、ベース取付部材の大きさ等を変更することにより、記録装置の大きさに左右されずにディスク装置を安定的に取り付けることができる。
【０００９】
上記目的達成のため、本発明のディスク装置では、上記各ディスク装置取付構造を備えたことを特徴としている。これにより、上記各作用効果を奏するディスク装置を提供することが可能である。上記目的達成のため、本発明の記録装置は、上記ディスク装置を備えたことを特徴としている。これにより、上記各作用効果を奏する記録装置を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るディスク装置取付構造を備えた記録装置の外観構成の全体を示す斜視図である。この記録装置はプリンタ、コピー及びスキャナの機能を有するインクジェット式複合機１００である。このインクジェット式複合機１００は、全体が略直方体状のハウジング１０１で覆われている。そして、ハウジング１０１の上面における前面側には操作部１１０が配設され、前面における図示左側にはメモリカードスロット部１２０が配設され、前面における図示右側には本発明の特徴的な部分を含むディスクスロット部１３０が配設されている。更に、ハウジング１０１の上面における背面側には給紙部１４０が配設され、前面側には排紙部１５０が配設され、上面にはスキャナ１６０が配設されている。
【００１２】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１３】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１４】
ディスクスロット部１３０は、ディスク装置１３１が本実施形態のディスク装置取付構造１０（図２参照）に取り付けられており、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。尚、このディスク装置取付構造１０の詳細については後述する。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１５】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１６】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。次に、本発明の特徴的な部分であるディスク装置取付構造１０について、更に図を参照して説明する。
【００１７】
図２は、上記ディスク装置取付構造１０に取り付けられたディスク装置１３１を前面左側から見た斜視図、図３は、上記ディスク装置取付構造１０に取り付けられたディスク装置１３１を前面右側から見た斜視図、図４は、図３の分解斜視図、図５は、上記ディスク装置取付構造１０に取り付けられたディスク装置１３１を裏側から見た斜視図である。このディスク装置取付構造１０は、第１装置取付板（装置取付部材）１１、第２装置取付板（装置取付部材）１２、基板取付板（基板取付部材）１３及びベース取付板（ベース取付部材）１４を備えている。
【００１８】
第１装置取付板１１は、図２及び図４に示すように、ディスク装置１３１の図示左側面に取り付けられる略帯状の板金であって、ディスク装置１３１の側面に対し略直角に折り曲げられた４箇所の曲げ起こし部１１ａ、１１ｂ、１１ｃ、１１ｄが設けられている。この第１装置取付板１１は、ネジ１５ａ、１５ｂによりディスク装置１３１の図示左側面に取り付けられている。そして、曲げ起こし部１１ａ、１１ｂ、１１ｃ、１１ｄのうち、前面側の曲げ起こし部１１ａが、ハウジング１０１に対しネジ１６ａにより直接取り付けられ、前面側から３番目の曲げ起こし部１１ｃが、ベース取付板１４に対しネジ１６ｃにより取り付けられている。そして、前面側から２番目と４番目の曲げ起こし部１１ｂ、１１ｄが、基板取付板１３とネジ１６ｂ、１６ｄにより取り付けられている。
【００１９】
第２装置取付板１２は、図３及び図４に示すように、ディスク装置１３１の図示右側面に取り付けられる略帯状の板金であって、ディスク装置１３１の側面に対し略直角に折り曲げられた３箇所の曲げ起こし部１２ａ、１２ｂ、１２ｃが設けられている。この第２装置取付板１２は、ネジ１７ａ、１７ｂによりディスク装置１３１の図示右側面に取り付けられている。そして、曲げ起こし部１２ａ、１２ｂ、１２ｃのうち、前面側の曲げ起こし部１２ａが、ハウジング１０１に対しネジ１８ａにより直接取り付けられ、前面側から３番目の曲げ起こし部１２ｃが、ベース取付板１４に対しネジ１８ｃにより取り付けられている。そして、前面側から２番目の曲げ起こし部１２ｂが、基板取付板１３とネジ１８ｂにより取り付けられている。
【００２０】
基板取付板１３は、図４及び図５に示すように、上面が開放された略箱状の板金で成る収納箱１３ａと、略帯状の板金で成る固定板（基板固定部材）１３ｂを備え、固定板１３ｂが収納箱１３ａの一側面縁部から突出するようにネジ止めされている。収納箱１３ａ内には、変換基板（ディスク装置用基板）１９が収納されている。この収納箱１３ａは、シールドプレートの機能を有しており、変換基板１９に実装されているコネクタ１９ａの装着部側には、図示しないケーブルコネクタを装着するための切欠き部１３ａａが設けられている。また、収納箱１３ａの他側面縁部に対して直角に折り曲げられた固定部１３ｃ、１３ｄのうち、固定部１３ｃが第１装置取付板１１の曲げ起こし部１１ｂに対しネジ１６ｂにより取り付けられ、固定部１３ｄが第１装置取付板１１の曲げ起こし部１１ｄに対しネジ１６ｄにより取り付けられる。そして、固定板１３ｂの先端が第２装置取付板１２の曲げ起こし部１２ｂに対しネジ１８ｂにより取り付けられる。
【００２１】
ベース取付板１４は、図４及び図５に示すように、略矩形板状の板金であって基板取付板１３が嵌る矩形状の切欠き１４ａが設けられている。このベース取付板１４は、ネジ穴１４ｂ、１４ｃが穿孔されており、ハウジング１０１に対しネジ２０ａ、２０ｂにより取り付けられる。また、ベース取付板１４には、第１装置取付板１１の曲げ起こし部１１ｃを取り付けるネジ１６ｃのネジ穴１４ｄと、第２装置取付板１２の曲げ起こし部１２ｃを取り付けるネジ１８ｃのネジ穴１４ｅが穿設されている。このような構成において、インクジェット式複合機１００に対するディスク装置１３１の取付方法を図２、図３、図６及び図７を参照して説明する。
【００２２】
図６は、ハウジング１０１におけるディスク装置収納部を示す斜視図、図７は、ディスク装置収納部にディスク装置取付構造１０を介して取り付けられたディスク装置１３１を収納して取付けた状態を示す斜視図である。先ず、ディスク装置１３１にディスク装置取付構造１０を取り付ける。即ち、図２に示すように、ディスク装置１３１の前面左側に第１装置取付板１１を当接させてネジ１５ａ、１５ｂにより固定する。続いて、図３に示すように、ディスク装置１３１の前面右側に第２装置取付板１２を当接させてネジ１７ａ、１７ｂにより固定する。そして、図２に示すように、基板取付板１３の上方からディスク装置１３１を被せ、変換基板１９に実装されているコネクタ１９ａをディスク装置１３１の背面側に配置されている図示しない基板コネクタと接続する。
【００２３】
そして、図２に示すように、基板取付板１３の固定部１３ｃ、１３ｄを第１装置取付板１１の曲げ起こし部１１ｂ、１１ｄに合わせてネジ１６ｂ、１６ｄにより固定すると共に、図３に示すように、基板取付板１３の固定板１３ｂの先端を第２装置取付板１２の曲げ起こし部１２ｂに合わせてネジ１８ｂにより固定する。そして、図２に示すように、ベース取付板１４の切欠き部１４ａを基板取付板１３に嵌め込み、第１装置取付板１１の曲げ起こし部１１ｃをネジ穴１４ｄに合わせてネジ１６ｃにより固定すると共に、図３に示すように、第２装置取付板１２の曲げ起こし部１２ｃをネジ穴１４ｅに合わせてネジ１８ｃにより固定する。以上により、ディスク装置１３１に対するディスク装置取付構造１０の取り付けが完了する。
【００２４】
ここで、図６に示すように、ハウジング１０１内のディスク装置収納部１０２には、４本のディスク装置取付ボス１０２ａ、１０２ｂ、１０２ｃ、１０２ｄが突設されている。各ディスク装置取付ボス１０２ａ、１０２ｂ、１０２ｃ、１０２ｄは、ディスク装置１３１に取り付けられたディスク装置取付構造１０の第１装置取付板１１の曲げ起こし部１１ａと、第２装置取付板１２の曲げ起こし部１２ａと、ベース取付板１４の穴１４ｂ、１４ｃに対応して設けられている。従って、図７に示すように、ディスク装置取付構造１０に取り付けられたディスク装置１３１をハウジング１０１内のディスク装置収納部１０２に収納し、第１装置取付板１１の曲げ起こし部１１ａと、第２装置取付板１２の曲げ起こし部１２ａと、ベース取付板１４のネジ穴１４ｂ、１４ｃを各ディスク装置取付ボス１０２ａ、１０２ｂ、１０２ｃ、１０２ｄに合わせ、ネジ１６ａ、１８ａ、２０ａ、２０ｂにより固定する。以上により、インクジェット式複合機１００に対するディスク装置１３１の取り付けが完了する。
【００２５】
以上のように、本実施形態のディスク装置取付構造１０によれば、ディスク装置１３１の両側面にそれぞれ取り付けられる独立した第１及び第２装置取付板１１、１２を備え、ハウジング１０１に取り付けるための曲げ起こし部１１ａ、１２ａ、１１ｃ、１２ｃを第１及び第２装置取付板１１、１２に設けたので、インクジェット式複合機１００に負荷が掛かった場合でもディスク装置１３１は第１及び第２装置取付板１１、１２の曲げ起こし部１１ａ、１２ａ、１１ｃ、１２ｃを介して取り付けられているため直接負荷が掛からず、ディスク装置１３１をインクジェット式複合機１００に安定的に取り付けておくことができる。
【００２６】
また、曲げ起こし部１１ａ、１２ａ、１１ｃ、１２ｃは、第１及び第２装置取付板１１、１２に２箇所設けているので、直交３方向、即ちディスク装置１３１の前面に対し平行な左右方向及びその左右方向に直角な前後方向及びその前後方向に直角な上下方向の取付がたの発生を防止することができる。尚、曲げ起こし部を設ける数や位置については特に限定されるものでは無い。また、変換基板１９をディスク装置１３１の基板コネクタの近傍下面に配置し、基板取付板１３を第１及び第２装置取付板１１、１２に対し上方から固定可能に構成したので、基板取付板１３を第１及び第２装置取付板１１、１２に対し容易に取り付けることができると共に、変換基板１９とディスク装置１３１を近接配置してノイズの混信を防止することができる。更に、変換基板１９をディスク装置１３１の背面側に配置する場合に比べ、インクジェット式複合機１００自体の奥行き寸法を小さくすることができる。
【００２７】
また、基板取付板１３の一側面に第２装置取付板１２に固定するための固定板１３ｂを取り付けたので、基板取付板１３の第２装置取付板１２に対する固定をより強固なものとすることができる。尚、固定板１３ｂは第１装置取付板１１に固定するように構成しても良い。また、変換基板１９に実装されたコネクタ１９ａの装着部をシールドする基板取付板１３の収納箱１３ａに切欠き部１３ａａを設けたので、変換基板１９に実装されたコネクタに対しケーブルコネクタを容易に接続することができる。また、ディスク装置１３１の前面側に位置する曲げ起こし部１１ａ、１２ａは、ハウジング１０１に直接取り付けられ、ディスク装置１３１の背面側に位置する曲げ起こし部１１ｃ、１２ｃは、ベース取付板１４を介してハウジング１０１に取り付けられているので、ベース取付板１４の大きさを変更したり穴１４ｂ、１４ｃの位置を変更することにより、インクジェット式複合機１００の大きさに左右されずにディスク装置１３１を安定的に取り付けることができる。
【産業上の利用可能性】
【００２８】
ディスク装置が取り付け可能であれば、インクジェット式複合機に限定されるものではなく、全ての記録装置、例えばファクシミリ装置、コピー装置、スキャナ等の記録装置であっても適用可能である。
【図面の簡単な説明】
【００２９】
【図１】本発明の一実施の形態に係るディスク装置取付構造を備えた記録装置の外観構成の全体を示す斜視図である。
【図２】図１のディスク装置取付構造に取り付けられたディスク装置を前面左側から見た斜視図である。
【図３】図１のディスク装置取付構造に取り付けられたディスク装置を前面右側から見た斜視図である。
【図４】図３の分解斜視図である。
【図５】図１のディスク装置取付構造に取り付けられたディスク装置を裏側から見た斜視図である。
【図６】図１のハウジングにおけるディスク装置収納部を示す斜視図である。
【図７】図６のディスク装置収納部にディスク装置取付構造を介して取り付けられたディスク装置を収納して取付けた状態を示す斜視図である。
【符号の説明】
【００３０】
１０  ディスク装置取付構造、１１  第１装置取付板、１１ａ、１１ｂ、１１ｃ、１１ｄ  曲げ起こし部、１２  第２装置取付板、１２ａ、１２ｂ、１２ｃ  曲げ起こし部、１３  基板取付板、１４  ベース取付板、１００  インクジェット式複合機、１０１  ハウジング、１１０  操作部、１１１  操作パネル、１１２  液晶ディスプレイ、１２０  メモリカードスロット部、１３０  ディスクスロット部、１３１  ディスク装置、１４０  給紙部、１５０  排紙部
【図１】
2008077809.tif 000003
【図２】
2008077809.tif 000004
【図３】
2008077809.tif 000005
【図４】
2008077809.tif 000006
【図５】
2008077809.tif 000007
【図６】
2008077809.tif 000008
【図７】
2008077809.tif 000009